(57)【要約】      （修正有）【課題】インスツルメントを操作する施術者の手に掛かる負担を軽減する課題を、極く簡単な機構でかつ、操作は通常の操作状態で解決する歯科用インスツルメントホルダを提供する。【解決手段】歯科用インスツルメントホルダにおいて、インスツルメントチューブ長溝１０の前方部に円錐台形の第１のローラ２５と、端部に円錐台形の斜面２４ａを備えた円筒形又は円柱型の第２のローラ２４とが隣接して架設され、かつ、第１のローラ２５の円錐台形の斜面２５ａと第２のローラ２４の円錐台形の斜面２４ａとが対向するようにして同軸線上に配置され、第１のローラ２５はその斜面が高摩擦抵抗を有し、その斜面に戴置・当接されるインスツルメントチューブが前方に引き出される方向へのみ回転し、第２のローラ２４は回動自在に軸支されてなる。【選択図】図４
2008093119.tif 000002
【特許請求の範囲】
【請求項１】
先方に歯科治療用インスツルメント４が接続されたインスツルメントチューブ５を出し入れするための後方へ少し下向する傾斜状態でかつ前後方向に延設されたインスツルメントチューブ挿通用の切開された長溝１０を備えたインスツルメントホルダにおいて、
前記インスツルメントチューブ長溝１０の前方部に、円錐台形の第１のローラ２５と、
端部に円錐台形の斜面２４ａを備えた円筒形又は円柱型の第２のローラ２４とが隣接して架設され、かつ、第１のローラ２５の円錐台形の斜面２５ａと第２のローラ２４の円錐台形の斜面２４ａとが対向するようにして同軸線上に配置されてなり、
そして第１のローラ２５はその斜面２５ａが高摩擦抵抗を有し、かつ同前記斜面２５ａに戴置・当接されるインスツルメントチューブ５が前方に引き出される方向へのみ回転するものであり、また第２のローラ２４は回動自在に軸支されてなることを特徴とする歯科用インスツルメントホルダ。
【請求項２】
第２のローラ２４の本体部２４ｂが、その円錐台形の斜面２４ａと反対側方向へ縮径するテーパ面２４ａ’を有するものであることを特徴とする請求項１に記載の歯科用インスツルメントホルダ。
【請求項３】
インスツルメントチューブの長溝１０が、後方へ少し下向する傾斜状態でかつ前後方向の長溝を形成する間隔を隔てて並設された一対のロッド状のガイドローラ１７、１９により形成されてなることを特徴とする請求項１又は２記載の歯科用インスツルメントホルダ。
【請求項４】
第１のローラ２５側のガイドローラー１７が、前方のガイドローラ１７ａと後方のガイドローラ１７ｂに分割されてなり、前方のガイドローラ１７ａが回転不能に構成されてなるものであることを特徴とする請求項１〜３のいずれか１項に記載の歯科用インスツルメントホルダ。
【請求項５】
第１のローラ２５と第２のローラ２４が、両者を軸支する小径の固定シャフト２６の外周面に、前方に引き出される方向にのみ回転する大径の円筒状のワンウェイクラッチ２８の内周面を配設してなり、
前記第１のローラ２５は、前記ワンウェイクラッチ２８外周面の片側に固着され、
また、前記第２のローラ２４は、第１のローラ２５に隣接して、前記ワンウエイクラッチ２８外周面の他の側に回動可能に配設されてなることを特徴とする請求項１〜４のいずれか１項に記載の歯科用インスツルメントホルダ。
【請求項６】
隣接し対向して配設された第１のローラ２５の円錐台形の斜面２５ａと、第２のローラ２４の円錐台形の斜面２４ａの斜面の長さ及び斜面の角度を同一とし、Ｖ字状の溝を形成させてなることを特徴とする請求項１〜５のいずれか１項に記載の歯科用インスツルメントホルダ。
【請求項７】
第１のローラ２５の少なくとも表層の材質が合成ゴム、シリコンゴム等の高摩擦抵抗性材料であり、かつその表面には、放射状又は点の分布状に低い突起が設けられてなり、また、第２のローラ２４の材質が合成樹脂であることを特徴とする請求項１〜６のいずれか１項に記載の歯科用インスツルメントホルダ。
【請求項８】
前記ガイドローラ１７ａの材質が、合成ゴム、シリコンゴム等であり、かつその表面は高摩擦抵抗を有することを特徴とする請求項４に記載の歯科用インスツルメントホルダ。
【発明の詳細な説明】
【技術分野】
【０００１】
歯科用チェアユニットにおいて、施術者がインスツルメントを格納台から引き出し施療するときに手に掛る張力及び加重を軽減するインスツルメントチューブのホルダに関する。
【背景技術】
【０００２】
従来、歯科用チェアユニットにおいて、施療のため施術者がインスツルメントを格納台から引き出すと、前記インスツルメントに接続されている水、空気等の配管や、電源線、信号線等を内包するインスツルメントチューブも引き出される。
前記インスツルメントチューブは、通常格納台の裏面後方からＵ字状に弛ませて吊設されており、長尺であり、表面は滑らかでかつ可撓性を有している。
そして、インスツルメントを引き出したときには、前記インスツルメントチューブのＵ字状の弛みの部分の重量及び、インスツルメントチューブの垂れ下がり防止兼引き込み加勢装置（特許文献１）の作用によって元に引き戻そうとする張力が働くため、インスツルメントを操作する施術者の手に負担が掛っていた。
【０００３】
また、インスツルメントチューブ（インスツルメントホース）を繰り出し、又は引き戻すために、各インスツルメントチューブ毎にモータを備え、センサ信号による停止時に格納台の奧でバネとローラでインスツルメントチューブを挟持するもの（特許文献２）、
あるいは、格納台の出口又は、インスツルメントチューブの所定位置に、使用状態で保持できるリングや網状の摩擦部を設けたり、同摩擦部を予めインスツルメントチューブの複数箇所に固設しておくもの（特許文献３）や、
さらに、格納台のホルダのインスツルメントチューブの出口に、大小口径の連結孔を設けて、引き出し、引き戻し時には大口径の孔を通し、施療時（停止時）には小口径の摩擦抵抗で保持するもの（特許文献４）、等が開示されている。
【特許文献１】特許第３４７５４９１号公報
【特許文献２】特許第３７８８６１４号公報
【特許文献３】特許第３７８４５７１号公報
【特許文献４】実用第３０８７１４１号公報
【発明の開示】
【発明が解決しようとする課題】
【０００４】
本発明は上記の、インスツルメントを操作する施術者の手に掛かる負担を、極く簡単な機構でかつ、通常の操作状態で解決することを課題としている。
開示されている前記特許文献２の、引き出し、引き戻し用のモータを各インスツルメントチューブ毎に配設するものは、ローラの回転数や回転時間の予測センサとその信号による制御回路を要し、複雑で高価であり、さらにチューブの挟持部は格納台の奧であるため、引き出されたインスツルメントチューブの重さの軽減度は少ない等、実用上の問題があり、
また、特許文献３の、格納台の出口に摩擦部を設けるものは特定の部品の付設又は、加工を要し、かつ出し入れの際の円滑度にも問題があり、さらにインスツルメントチューブの所要長の基部に、インスツルメントチューブを使用状態のとき保持するためのリングや網状の摩擦部を設けるものは、所要長に応じてその位置を移動させる必要があり、そして、前記摩擦部を予めインスツルメントチューブの複数箇所に固設しておくものは、出し入れが円滑ではない等の問題があった。
さらに、特許文献４の、ホルダのインスツルメントチューブの出口に挿通又は、保持できる大小の連結孔を設けるものは、特殊な形状の器具の付設を要し、かつ施術者が大小の連結孔を使い分ける面倒等があった。
【課題を解決するための手段】
【０００５】
上記に鑑み本発明は多くの実験研究の結果下記の手段によりこの課題を解決した。
（１）先方に歯科治療用インスツルメント４が接続されたインスツルメントチューブ５を出し入れするための後方へ少し下向する傾斜状態でかつ前後方向に延設されたインスツルメントチューブ挿通用の切開された長溝１０を備えたインスツルメントホルダにおいて、前記インスツルメントチューブ長溝１０の前方部に、円錐台形の第１のローラ２５と、端部に円錐台形の斜面２４ａを備えた円筒形又は円柱型の第２のローラ２４とが隣接して架設され、かつ、第１のローラ２５の円錐台形の斜面２５ａと第２のローラ２４の円錐台形の斜面２４ａとが対向するようにして同軸線上に配置されてなり、そして第１のローラ２５はその斜面２５ａが高摩擦抵抗を有し、かつ同前記斜面２５ａに戴置・当接されるインスツルメントチューブ５が前方に引き出される方向へのみ回転するものであり、また第２のローラ２４は回動自在に軸支されてなることを特徴とする歯科用インスツルメントホルダ。
【０００６】
（２）第２のローラ２４の本体部２４ｂが、その円錐台形の斜面２４ａと反対側方向へ縮径するテーパ面２４ａ’を有するものであることを特徴とする前項（１）に記載の歯科用インスツルメントホルダ。
（３）インスツルメントチューブの長溝１０が、後方へ少し下向する傾斜状態でかつ前後方向の長溝を形成する間隔を隔てて並設された一対のロッド状のガイドローラ１７、１９により形成されてなることを特徴とする前項（１）又は（２）に記載の歯科用インスツルメントホルダ。
（４）第１のローラ２５側のガイドローラー１７が、前方のガイドローラ１７ａと後方のガイドローラ１７ｂに分割されてなり、前方のガイドローラ１７ａが回転不能に構成されてなるものであることを特徴とする前項（１）〜（３）のいずれか１項に記載の歯科用インスツルメントホルダ。
【０００７】
（５）第１のローラ２５と第２のローラ２４が、両者を軸支する小径の固定シャフト２６の外周面に、前方に引き出される方向にのみ回転する大径の円筒状のワンウェイクラッチ２８の内周面を配設してなり、前記第１のローラ２５は、前記ワンウェイクラッチ２８外周面の片側に固着され、また、前記第２のローラ２４は、第１のローラ２５に隣接して、前記ワンウエイクラッチ２８外周面の他の側に回動可能に配設されてなることを特徴とする前項（１）〜（４）のいずれか１項に記載の歯科用インスツルメントホルダ。
（６）隣接し対向して配設された第１のローラ２５の円錐台形の斜面２５ａと、第２のローラ２４の円錐台形の斜面２４ａの、斜面の長さ及び傾斜の角度を同一とし、Ｖ字状の溝を形成させてなることを特徴とする前項（１）〜（５）のいずれか１項に記載の歯科用インスツルメントホルダ。
【０００８】
（７）第１のローラ２５の少なくとも表層の材質が、合成ゴム、シリコンゴム等の高摩擦抵抗性材料であり、かつその表面には、放射状又は点の分布状に低い突起が設けられてなり、また、第２のローラ２４の材質が合成樹脂であることを特徴とする前項（１）〜（６）のいずれか１項に記載の歯科診療装置のインスツルメントホルダ。
（８）前記ガイドローラ１７ａの材質が、合成ゴム、シリコンゴム等であり、かつその表面は高摩擦抵抗を有することを特徴とする前項（４）に記載の歯科用インスツルメントホルダ。
【発明の効果】
【０００９】
本発明によれば次のような優れた効果が発揮される。
１、本発明の請求項１の発明によれば、
インスツルメントチューブ長溝１０の前方部に、円錐台形の第１のローラ２５と、端部に円錐台形の斜面２４ａを備えた円筒形又は円柱型の第２のローラ２４とが隣接して架設され、かつ、第１のローラ２５の円錐台形の斜面２５ａと第２のローラ円錐台形の斜面２４ａとが対向するようにして同軸線上に配置されてなり、そして第１のローラ２５はその斜面２５ａが高摩擦抵抗を有し、前記斜面２５ａに戴置・当接されるインスツルメントチューブ５が前方に引き出される方向へのみ回転するものであり、また第２のローラ２４は回動自在に軸支されてなるため、
操作として、インスツルメント４を引き出すとき、インスツルメントチューブ５は第１のローラの円錐台形の斜面２５ａ及び対向する第２のローラの円錐台形の斜面２４ａによって形成される後記Ｖ字状の溝即ちＶ溝２０に沿って、あるいは第２のローラ２４の円筒形本体部２４ｂの面に沿って前方に滑らかに引き出すことができる。
【００１０】
また、施療の際には、そのまま通常、患者のいる左寄り方向に前記インスツルメントチューブを寄せると、前記Ｖ溝２０の第１のローラ２５の所から、インスツルメントチューブは左側に湾曲して第１のローラ２５は停止して、その摩擦抵抗によってひっかかる状態となる。そして前記ワンウェイクラッチにより引き戻されることはない。
このとき、第１のローラ２５は、ホルダとして働き、インスツルメントチューブは保持された状態となる。
そして、インスツルメントチューブの長さは前記ホルダを基点とした所要の長さとなる。
さらに、前記インスツルメントチューブの垂れ下がり防止兼引き込み加勢装置による張力は、インスツルメントチューブの基部から前記ホルダに至るまでの間に限定され、ホルダから外部に延長された部分にはかからない。
従って、施術者の手に掛る負担は、前記引き戻し装置による張力は働かず、インスツルメントチューブの加重による負担も、前記ホルダから外部に延長された部分に限定されるため大きく軽減される。
【００１１】
さらに、施療が終了し格納するときは、インスツルメントチューブ５を正面から見て、患者のいない真っ直ぐの方向ないし右よりの方向に戻すことにより、インスツルメントチューブ５は前記Ｖ溝２０から外れ、摩擦抵抗によるひっかかりはなくなる。
その後、インスツルメントチューブは、前記第２のローラ２４の回動する円筒形の本体部２４ｂに沿って滑りながら、前記引き戻し装置の張力及び吊り下がりの重力によって引き戻され、インスツルメント４はスムースに格納台に収納される。
【００１２】
また、施療中に状況によってインスツルメントチューブ５の長さを調整したい場合は、
前記引き出し又は引き戻しの姿勢にして長さを調節し、再度施療時の姿勢をとることにより、簡単に伸縮調整を行うことができる。
以上の作用は、インスツルメントとインスツルメントチューブの操作に係る施療者と患者の位置関係を巧みに利用したもので、極く簡単な構造でかつ、施療時の自然な動作で操作することができる。
【００１３】
２、請求項２の発明によれば、
第２のローラ２４の本体部２４ｂが、その円錐台形の斜面２４ａと反対側方向へ縮径するテーパ面２４ａ’を有するため、前記格納時、インスツルメントチューブ５が前記Ｖ溝２０から外れると、自然に本体部２４ｂの縮径するテーパ面２４ａ’に沿って滑り、より円滑に格納することができる。
【００１４】
３、請求項３の発明によれば、
インスツルメントチューブ長溝１０が、後方へ少し下向する傾斜状態でかつ前後方向の長溝を形成する間隔を隔てて並設された一対のロッド状のガイドローラ１７、１９により形成されてなるため、
前記第１のローラ２５と第２のローラ２４とともに、インスツルメントチューブ５の引き出し及び引き戻しを円滑にすることができる。
【００１５】
４、請求項４の発明によれば、
第１のローラ２５側のガイドローラ１７が、前方のガイドローラ１７ａと後方のガイドローラ１７ｂに分割されてなり、前方のガイドローラ１７ａが回転不能に構成されてなるため、その摩擦抵抗により前記第１のローラ２５に加えて、インスツルメントチューブ５の保持作用を増大することができる。
【００１６】
５、請求項５の発明によれば、
第１のローラ２５と第２のローラ２４が、両者を軸支する小径の固定シャフト２６の外周面に、大径の円筒状のワンウェイクラッチ２８の内周面を配設してなり、前記第１のローラ２５は、前記前方に引き出される方向へのみ回転するワンウェイクラッチ２８外周面の片側に固着され、また、前記第２のローラ２４は、第１のローラ２５に隣接して、前記ワンウエイクラッチ２８外周面の他の側に回動可能に配設されてなるため、
第１のローラ２５は前方に引き出される方向のみに回転し、また第２のローラ２４はワンウェイクラッチの外周を自在に回動することができる。
また、この機構は、既製の円筒状のワンウェイクラッチを使用して簡単に構成することができる。
【００１７】
６、請求項６の発明によれば、
隣接し対向して配設された第１のローラ２５の円錐台形の斜面２５ａと、第２のローラ２４の円錐台形の斜面２４ａとの、斜面の長さ及び斜面の角度を同一とし、Ｖ字状の溝即ちＶ溝２０を形成させてなるため、
インスツルメントチューブ５を引き出す際には、第２のローラ２４のみ、あるいは前記Ｖ溝２０に掛かるときも、第１のローラ２５は引き出される方向に回転するため、インスツルメントチューブ５を容易に引き出すことができる。
このときＶ溝２０の左右の辺の長さ及び斜面は対称形であるので均一に作動する。
また施療時、インスツルメント４を通常、患者のいる左側に移動させ、インスツルメントチューブ５を左に曲げると、前記Ｖ溝２０左辺の、第１のローラ２５の摩擦により動きが停止すると共に、ワンウェイクラッチ２８により引き戻される方向には戻らず、インスツルメントチューブ５を保持することができる。
さらに引き戻すときには、インスツルメントチューブ５を右方向に移動させ前記Ｖ溝２０から外すと、右側のガイドローラにより容易に引き戻すことができる。
【００１８】
７、請求項７の発明によれば、
第１のローラ２５の少なくとも表層の材質が、合成ゴム、シリコンゴム等の高摩擦抵抗性材料であり、かつその表面には、放射状又は点の分布状に低い突起が設けられてなるため、第１のローラ２５はローラとしては引き出し方向にスムースに回転し、保持器として働く際には、材質に起因する摩擦性を増大させ、確実にインスツルメントチューブを保持することができる。
そして、第２のローラ２４は、材質が合成樹脂であるため、滑りがよくスムースに回動する。
【００１９】
８、請求項８の発明によれば、
ガイドローラ１７ａの材質が、合成ゴム、シリコンゴム等であり、かつその表面は高摩擦抵抗を有するため、その摩擦力により、前記第一のローラ２５の保持作用に加えて、保持作用をさらに増大させ、インスツルメントチューブを確実に保持することができる。
【発明を実施するための最良の形態】
【００２０】
発明を実施するための最良の形態を以下図面に基づいて説明する。
図１は、インスツルメントホルダを備えた歯科用チェアユニットの平面外観図である。
図において、１は歯科用チェアユニット、２はブラケットテーブル、３は格納台、４はインスツルメント、５はインスツルメントチューブ、６は施術者、７は患者、８は操作板、８’はフットスイッチ、９はチェアの背もたれ、１５はホルダ部を示す。
本図は、施術者６がインスツルメント４を格納台３から引き出し、患者７に施療中の図で、インスツルメント４のインスツルメントチューブ５は、ホルダ部１５を基点として所要の長さで引き出され保持されているの状態を示す。
なお、ホルダ部１５は、後記実施例では第１のローラ（２５）を主として記述している。
【００２１】
図２は、インスツルメント群とインスツルメント格納台の外観斜視図である。
図において、３ａは格納台のトップカバー、３ｂは格納台の出口を示す。
図３は、インスツルメント格納台のトップカバーを除いたときの外観斜視図である。
図示したように、インスツルメント４を戴置収納及び引き出し、また、同インスツルメント４に接続されているインスツルメントチューブ５を円滑に出し入れするための後記ホルダ部１５は、格納台３の前端に配設されている。
【００２２】
図４は、本発明のホルダ部の外観斜視図である。
図において、１２は取り付け具、１３は取り付け具の右上端部、１４は取り付け具の左上端部、１６は第１ガイドローラ軸、１８は第２ガイドローラ軸、１７、１９はガイドローラ、２０はＶ溝、２４は第２のローラ、２５は第１のローラ、２６は固定シャフト、２７は割溝、２８はワンウェイクラッチ、２９はローラ軸留めねじ、３０は上下方向、３２は突起、１０は長溝を示す。
図のように、取り付具１２の正面右側に回転可能に配設された、前記第２のローラ２４と、その左側に隣接して配設された第１のローラ２５及び、
インスツルメントチューブ長溝１０が、後方へ少し下向する傾斜状態でかつ前後方向の長溝を形成する間隔を隔てて並設された一対のロッド状のガイドローラ１７、１９により形成されている。
【００２３】
図５は、図４の左側面の外観斜視図である。
図において、３１は第１ガイドローラ軸のシャフトを示す。
図のように、第１ガイドローラ軸１６は、組み立て及びメンテナンス上、上下方向３０のように上下に動く。
【００２４】
図６は、第１のローラと第２のローラ及び、ワンウェイクラッチ部分の構成を示す縦断面図である。
図において、２４ａは（第２のローラ円錐台形の）斜面、２４ａ’は縮径するテーパー面、２４ｂは（第２ローラの）本体部、２５ａは（第１ローラの円錐台形の）斜面を示す。
【００２５】
構成は次のとおりである。前記ホルダ部１５即ち前記インスツルメントチューブ長溝１０の前方部の取り付け具１２により、正面右側に配設された第２のローラ２４と、その左側に隣接して配設された第１のローラ２５は、図示したように、両者の中心部を貫通する小径の固定シャフト２６の外周面に、大径の円筒状のワンウェイクラッチ２８の内周面を配設している。
また、前記第２のローラ２４は、前記ワンウエイクラッチ２８の外周面の右側に、回動可能に配設され、さらに、隣接して第１のローラ２５が、引き出し方向にのみ回転可能な前記ワンウェイクラッチ２８の外周面の左側に固着されている。
そして、第１のローラ２５の円錐台形の斜面２５ａと第２のローラ円錐台形の斜面２４ａとが図のように対向するようにして同軸線上に配置されている。
【００２６】
また、第１のローラ２５は、その円錐台形の斜面２５ａが高摩擦抵抗を有し、前記円錐台形の斜面２５ａに戴置・当接されるインスツルメントチューブ５が、前記前方に引き出される方向へのみ回転するものであり、
また第２のローラ２４は、前記回動自在に前記ワンウエイクラッチ２８の外周により軸支されている。
そして、前記対向させた第１のローラ２５の円錐台形の斜面２５ａと、第２ローラ２４の円錐台形の斜面２４ａは対称形であり、Ｖ字状の溝即ちＶ溝２０を形成している。
【００２７】
前記第２のローラ２４の材質は、合成樹脂であり表面は滑り易く、
また、前記第１のローラ２５の少なくともその表面の材質は、高摩擦抵抗性を有する合成ゴム、シリコンゴム等であるが、図４、図６では、その表面に、点の分布状に低い突起３２を設けて、摩擦抵抗を増大させている。
【００２８】
図７は、第１のローラ側のガイドローラが、前方のガイドローラと後方のガイドローラに分割され、前方のガイドローラを回転不能に構成したときの外観斜視図である。
図において、１７ａは前方のガイドローラ、１７ｂは後方のガイドローラを示す。
図８は図７の左側面の外観斜視図である。
【００２９】
次に、上記各インスツルメントホルダの作用を図によって説明する。
図９は、本発明の図４におけるホルダ部より、インスツルメントチューブを手前右側に引き出したときの外観斜視図である。
図は、インスツルメント４（図示せず）及びチューブ５を前記格納台３の出口３ｂから引き出したときの事例で、チューブ５を引き出すとき、主として前記回動可能な第２のローラ２４により又は、その左に隣接して配設された、第１のローラ２５に触れても、同第１のローラ２５は引き出す方向に回転するので、円滑に引き出すことができる。
なお、前記一対のロッド状のガイドローラ１７、１９はインスツルメントチューブ５の移動を容易にしている。
【００３０】
図１０は、図９においてインスツルメントチューブを左側に寄せて湾曲させ、第１のローラにひっかけたときの外観斜視図である。
前記施術者６が施療のためにインスツルメント４（図示せず）を左側に位置している前記患者７の口腔に寄せると、引き出されているインスツルメントチューブ５は、前記円錐台形の第１のローラ２５の部分から左側に湾曲し、同第１のローラ２５にひっかかる。
この第１のローラ２５は前記ワンウェイクラッチ２８により、引き出し方向のみに回転可能であるから戻る方向には動かず、また、前述したようにその表面には、点の分布状に低い突起３２が設けられており、摩擦抵抗は増大されるため、前記ひっかかったインスツルメントチューブ５はその状態で保持される。
【００３１】
また、前記施療後、インスツルメント４及びインスツルメントチューブ５を引き戻しホルダ部１５に格納するときは、前記図９と同様に、インスツルメントチューブ５を患者のいない右側に寄せれば、同インスツルメントチューブ５は、前記第１のローラ２５から外れ、前記Ｖ溝２０を超えて右側の第２のローラ２４の縮径するテーパ面２４ａ’を滑って右端で止まりかつ、第２のローラ２４の後方回転に乗って後方に滑るため、円滑に格納することができる。
【００３２】
さらに、施療中に、インスツルメントチューブ５の長さを調整したい場合は、
前記の、引き出し又は引き戻しの姿勢から、施療時の左側湾曲姿勢に再設定することにより、簡単に伸縮調整を行うことができる。
【００３３】
図１１は、本発明の図７におけるホルダ部により、インスツルメントチューブを手前右側に引き出したときの外観斜視図である。
図は、インスツルメント４（図示せず）及びインスツルメントチューブ５を格納台３の出口３ｂから、配設されている前記ホルダ部１５により引き出したときの事例で、
インスツルメントチューブ５を引き出すとき、主として前記第２のローラ２４により又は、その左に隣接して配設された、引き出し方向のみに回転可能な円錐台形の第１のローラ２５に触れても、同第１のローラ２５は引き出し方向に回転するので、円滑に引き出すことができる。
また、前記図７に示したように、第１のローラ２５側のガイドローラは、前方のガイドローラ１７ａと後方のガイドローラ１７ｂに分割されている。
そして、前方のガイドローラ１７ａは回転不能に固定されているため保持作用を有し、また後方のガイドローラ１７ｂは回転可能に構成されており引き出すときのチューブ５奧部の移動を容易にしている。
【００３４】
図１２は図１１において、インスツルメントチューブを左側に寄せて湾曲させ、第１のローラ及び固定された前方のガイドローラに引っかけたときの外観斜視図である。
前記施術者６が施療のためにインスツルメント４（図示せず）を、左側に位置している前記患者７の口腔に寄せると、引き出されているインスツルメントチューブ５は、前記円錐台形の第１のローラ２５の部分及び、固定された前方のガイドローラ１７ａのところから左側に湾曲し、
前記第１のローラ２５及び固定された前方のガイドローラ１７ａのところにひっかかる。
この第１のローラ２５は、前記ワンウェイクラッチ２８により、引き出し方向のみに回転可能であるから戻る方向には動かず、また、前述したようにその表面には、点の分布状に低い突起３２が設けられておりその摩擦抵抗は増大されるため、チューブ５はその状態で保持される。
さらに、前記固定された前方のガイドローラ１７ａは摩擦抵抗を有しており、さらに保持状態を増大させるように働くため、上記の両者の作用によってインスツルメントチューブ５は確実に保持される。
【００３５】
また、前記施療後、インスツルメント４及びチューブ５を引き戻し、ホルダ部１５に格納するときは、前記図１１と同様に、インスツルメントチューブ５を患者のいない右側に寄せれば、同インスツルメントチューブ５は、第１のローラ２５及び前方のガイドローラ１７ａから外れ、前記Ｖ溝２０を超えて第２のローラ２４の縮径するテーパー面２４ａ’を滑って右端で止まりかつ、第２のローラ２４の後方回転に乗って後方に滑るため、円滑に格納することができる。
さらに、第２のローラ２４側のガイドローラー１９及び前記第１のローラ２５側の後方のガイドローラ１７ｂを回転可能とし、格納するときのインスツルメントチューブ５の移動を容易にしている。
【００３６】
そして、施療中に、インスツルメントチューブ５の長さを調整したい場合は、前記の引き出し又は引き戻しの姿勢から、施療時の左側湾曲姿勢をとることにより、簡単に伸縮調整を行うことができる。
【００３７】
図１３は、従来のホルダ部の外観斜視図である。
図において、１１は従来のローラ、１１’は従来のシャフトを示す。
構成は、取り付け具１２の前方中央に、回転可能な鼓状の従来のローラ１１と、従来のシャフト１１’及び、インスツルメントチューブ長溝１０が、後方へ少し下向する傾斜状態でかつ前後方向の長溝を形成する間隔を隔てて並設された一対のロッド状のガイドローラ１７、１９を備えている。
【００３８】
図１４は、従来のホルダ部でインスツルメントチューブを引き出したときの外観斜視図である。
図示したように、ホルダ部１５には、本発明の保持器は配設されておらず、
インスツルメント４（図示せず）及びインスツルメントチューブ５は、従来のローラ１１と、ガイドローラ１７，１９によって単に出し入れが可能であるが、前記施術者の手に掛かる負担は、インスツルメントチューブ５を引き出すときの、前記引き戻し装置の張力とインスツルメントチューブ５の加重が加わるため大きくなる。
【図面の簡単な説明】
【００３９】
【図１】インスツルメントチューブのホルダを備えた歯科用チェアユニットの平面外観図
【図２】インスツルメント群とインスツルメント格納台の外観斜視図
【図３】インスツルメント格納台のトップカバーを除いたときの外観斜視図
【図４】本発明のホルダ部の外観斜視図
【図５】図４の左側面の外観斜視図
【図６】第１のローラと第２のローラ及びワンウェイクラッチ部分の構成を示す縦断面図
【図７】第１のローラ側のガイドローラが、前方のガイドローラと後方のガイドローラに分割され、前方のガイドローラを回転不能に構成したときの外観斜視図
【図８】図７の左側面の外観斜視図
【図９】本発明の図４におけるホルダ部よりインスツルメントチューブを手前右側に引き出したときの外観斜視図
【図１０】図９においてインスツルメントチューブを左側に寄せて湾曲させ、第１のローラに引っかけたときの外観斜視図
【図１１】本発明の図７におけるホルダ部によりインスツルメントチューブを手前右側に引き出したときの外観斜視図
【図１２】図１１において、インスツルメントチューブを左側に寄せて湾曲させ、第１のローラ及び固定された前方のガイドローラに引っかけたときの外観斜視図
【図１３】従来のホルダ部の外観斜視図
【図１４】従来のホルダ部でインスツルメントチューブを引き出したときの外観斜視図
【符号の説明】
【００４０】
１：    歯科用チェアユニット
２：    ブラケットテーブル
３：    格納台
３ａ：  トップカバー
３ｂ：  出口
４：    インスツルメント
５：    インスツルメントチューブ
６：    施術者
７：    患者
８：    操作板
８’：  フットスイッチ
９：    チェアの背もたれ
１０：  長溝
１１：  従来のローラ
１１’：  従来のシャフト
１２：  取り付け具
１３：  取り付け具の右上端部
１４：  取り付け具の左上端部
１５：  ホルダ部
１６：  第１ガイドローラ軸
１７、１９：  ガイドローラ
１７ａ：  前方のガイドローラ
１７ｂ：  後方のガイドローラ
１８：  第２ガイドローラ軸
２０：  Ｖ溝
２４：  第２のローラ
２４ａ：  斜面
２４ａ’：  縮径するテーパー面
２４ｂ：  本体部
２５：  第１のローラ
２５ａ：  斜面
２６：  固定シャフト
２７：  割溝
２８：  ワンウェイクラッチ
２９：  ローラ軸留めねじ
３０：  上下方向
３１：  第１ガイドローラ軸のシャフト
３２：  突起
【図１】
2008093119.tif 000003
【図２】
2008093119.tif 000004
【図３】
2008093119.tif 000005
【図４】
2008093119.tif 000006
【図５】
2008093119.tif 000007
【図６】
2008093119.tif 000008
【図７】
2008093119.tif 000009
【図８】
2008093119.tif 000010
【図９】
2008093119.tif 000011
【図１０】
2008093119.tif 000012
【図１１】
2008093119.tif 000013
【図１２】
2008093119.tif 000014
【図１３】
2008093119.tif 000015
【図１４】
2008093119.tif 000016